(57)【特許請求の範囲】
【請求項１】
撮影光学系とファインダー光学系と制御手段とを有する光学機器を駆動制御する光学系駆動制御装置であって、
前記撮影光学系は、光軸方向に移動可能な撮影光学要素と、該撮影光学要素を光軸方向に移動させるための第１の駆動手段と、該撮影光学要素の光軸方向の初期位置を検出する第1の検出手段と、を備え、
前記ファインダー光学系は、光軸方向に移動可能なファインダー光学要素と、該ファインダー光学要素を光軸方向に移動させるための第２の駆動手段と、該ファインダー光学要素の光軸方向の初期位置を検出する第２の検出手段と、を備え、
前記制御手段は、前記光学機器の電源ＯＮにより、該第１の駆動手段及び該第２の駆動手段を用いて該撮影光学要素及び該ファインダー光学要素を初期位置に設定した後、該撮影光学系とファインダー光学系の倍率の比が所定の値となる位置に該撮影光学要素及び該ファインダー光学要素を移動させることを特徴とする光学系駆動制御装置。
【請求項２】
前記第１の駆動手段及び前記第２の駆動手段を連動して駆動する第１のモードと、前記第１の駆動手段を駆動せず、前記第１の駆動手段に対して独立して前記第２の駆動手段のみを駆動する第２のモードとを切り換える変倍動作切換手段を有することを特徴とする請求項１に記載の光学系駆動制御装置。
【請求項３】
前記撮影光学系によって形成される画像の記録を指示する指示手段を有し、
前記制御手段は、前記第１の駆動手段を駆動せず、前記第２の駆動手段を駆動して前記ファインダー光学系のみの変倍を行う第１のステップと、該第１のステップによって変倍された該ファインダー光学系に対応した変倍位置に前記撮影光学系を変倍するために該第１の駆動手段を駆動する第２のステップを含み、前記指示手段によって記録が指示された場合に、該第１のステップから該第２のステップに移行する制御を行うことを特徴とする請求項２に記載の光学系駆動制御装置。
【請求項４】
前記制御手段は、前記第１の駆動手段を駆動せず、前記第２の駆動手段を駆動して前記ファインダー光学系のみの変倍を行う第１のステップと、該第１のステップによって移動された前記ファインダー光学要素を該第１のステップを行う前の位置に戻す第２のステップを含み、
前記変倍動作切換手段によって前記第２のモードから前記第１のモードに変倍動作が切り換えられた場合に、該第１のステップから該第２のステップに移行する制御を行うことを特徴とする請求項２に記載の光学系駆動制御装置。
【請求項５】
前記制御手段は、前記第１の駆動手段を駆動せず、前記第２の駆動手段を駆動して前記ファインダー光学系のみの変倍を行う第１のステップと、該第１のステップによって変倍された前記ファインダー光学系に対応した変倍位置に前記撮影光学系を変倍するために前記第１の駆動手段を駆動する第２のステップを含み、
前記変倍動作切換手段によって前記第２のモードから前記第１のモードに変倍動作が切り換えられた場合に、該第１のステップから該第２のステップに移行する制御を行うことを特徴とする請求項２に記載の光学系駆動制御装置。
【請求項６】
請求項１乃至５の何れか一項に記載の光学系駆動制御装置を用いていることを特徴とする光学機器。
【発明の詳細な説明】
【０００１】
【発明の属する技術分野】
本発明は、撮影面に銀塩フィルムを用いた写真カメラや撮像素子としてＣＣＤを用いたスチールカメラやビデオカメラなどに好適な光学系駆動制御装置及びそれを用いた光学機器に関するものである。
【０００２】
【従来の技術】
撮影光学系の変倍動作とファインダー光学系の変倍動作を連動させる撮影装置（光学装置）として、例えば、特開平７−６４１４１号公報や特開平５−３３３４０６号公報に記載のカメラが知られている。
【０００３】
特開平７−６４１４１号公報に記載のカメラは、撮影光学系とファインダー光学系のレンズ駆動機構を機械的に共用化する構成を採用したものであり、具体的には、撮影光学系とファインダー光学系のレンズ駆動機構として共通のカム筒を使用し、このカム筒をモータで回転駆動させることにより、撮影光学系の変倍動作とファインダー光学系の変倍動作を連動させる構成としている。
【０００４】
一方、特開平５−３３３４０６号公報に記載のカメラは、撮影光学系とファインダー光学系の各々がズーム駆動機構と該ズーム駆動機構を駆動する駆動モータとを備え、フィルムが装填されているとき、撮影光学系の変倍動作とファインダー光学系の変倍動作が連動するようにマイコンが撮影光学系の駆動モータとファインダー光学系の駆動モータを制御し、フィルムが装填されていないとき、ファインダー光学系だけの変倍動作を行うようにマイコンがファインダー光学系の駆動モータを制御する構成としている。
【０００５】
【発明が解決しようとする課題】
しかしながら、特開平７−６４１４１号公報に記載のカメラにおいては、撮影光学系の変倍動作とファインダー光学系の変倍動作を共通のカム筒を用いて機構的に連動させているため、次のような問題がある。即ち、
（１）撮影光学系とファインダー光学系の設計上のレイアウトが限定される。
（２）ビデオカメラ用の撮影光学系として一般的に用いられている高倍率のリヤフォーカスズームレンズなどに於いては、撮影光学系とファインダー光学系を機構的に連動させようとする場合にカムなどの精度保証が難しくなり、撮影光学系の光学性能が低下する。
【０００６】
特開平５−３３３４０６号公報に記載のカメラにおいては、撮影光学系の変倍動作とファインダー光学系の変倍動作を連動させているが、ファインダー光学系の変倍動作だけを単独で行え得る構成とした関係上、変倍動作の連動時には、ファインダー光学系のレンズの位置（焦点距離）と電子ズーム倍率とから算出した撮影光学系のレンズ焦点距離データに基づいて撮影光学系の駆動モータを駆動させている。つまり、ファインダー光学系の駆動モータを駆動させてズームエンコーダでレンズの現在位置を検出し、そのレンズの現在位置に対応した撮影光学系のレンズ焦点距離データに基づいて撮影光学系の駆動モータを駆動している。換言すれば、撮影光学系の変倍動作はファインダー光学系の変倍動作時のレンズの検出位置に対応するレンズ焦点距離データに基づいて行われることから、撮影光学系のレンズを目的とする位置に正確に位置制御するためには、ファインダー光学系のレンズ位置検出機構の高精度化及び高性能化が要求される。
【０００７】
本発明は、撮影光学系とファインダー光学系を高精度に連動して駆動することができる光学系駆動制御装置及びそれを用いた光学機器を提供することを目的とする。
【０００８】
【課題を解決するための手段】
上記目的を達成するため、本発明の１つの実施形態の光学系駆動制御装置は以下を備えることを特徴としている。
【０００９】
即ち、撮影光学系とファインダー光学系と制御手段とを有する光学機器を駆動制御する光学系駆動制御装置であって、
前記撮影光学系は、光軸方向に移動可能な撮影光学要素と、該撮影光学要素を光軸方向に移動させるための第１の駆動手段と、該撮影光学要素の光軸方向の初期位置を検出する第1の検出手段と、を備え、
前記ファインダー光学系は、光軸方向に移動可能なファインダー光学要素と、該ファインダー光学要素を光軸方向に移動させるための第２の駆動手段と、該ファインダー光学要素の光軸方向の初期位置を検出する第２の検出手段と、を備え、
前記制御手段は、前記光学機器の電源ＯＮにより、該第１の駆動手段及び該第２の駆動手段を用いて該撮影光学要素及び該ファインダー光学要素を初期位置に設定した後、該撮影光学系とファインダー光学系の倍率の比が所定の値となる位置に該撮影光学要素及び該ファインダー光学要素を移動させることを特徴としている。
【００１０】
この光学系駆動制御装置においては、前記第１の駆動手段及び前記第２の駆動手段を連動して駆動する第１のモードと、前記第１の駆動手段を駆動せず、前記第１の駆動手段に対して独立して前記第２の駆動手段のみを駆動する第２のモードとを切り換える変倍動作切換手段を有することが好ましい。
【００１１】
【発明の実施の形態】
以下、本発明に係る光学系駆動制御装置及び光学機器を添付図面に示す実施形態に基づいて、更に詳しく説明する。本実施形態では、スチールカメラやビデオカメラなどの光学機器に光学系駆動制御装置を適用した例を説明している。
【００１２】
〔第１の実施形態例〕
図１は、本発明の第１の実施形態例を示し、撮影光学系とファインダー光学系と各々の駆動機構と駆動源と制御回路の構成を表わす概要構成図である。
【００１３】
撮影光学系Ａは、フィールドレンズ１とバリエータレンズ２とアフォーカルレンズ３とフォーカスレンズ４とで光学要素が構成されている。バリエータレンズ２とフォーカスレンズ４は各々の鏡枠７，８に保持され、ガイド軸５，６で光軸方向に沿って矢印方向に進退作動可能にガイドされている。
【００１４】
鏡枠７，８に設けられたラック部７ａ，８ａと、駆動源（第１駆動手段）であるステッピングモータ９，１０のネジ部９ａ，１０ａとは不図示の付勢手段によりガタ無く噛み合わされており、ステッピングモータ９，１０が正逆回転する事により、バリエータレンズ２とフォーカスレンズ４は光軸に沿って矢印方向に進退作動できる。即ち、鏡枠７，８のラック部７ａ，８ａとステッピングモータ９，１０のネジ部９ａ，１０ａとで駆動伝達機構を構成し、ラック部７ａ，８ａがステッピングモータ９，１０のネジ部９ａ，１０ａの回転運動をバリエータレンズ２とフォーカスレンズ４を夫々光軸方向へ移動させる直線運動に変換する。
【００１５】
バリエータレンズ２とフォーカスレンズ４の初期位置検出は発光素子と受光素子が一体となったフォトインターラプター１１，１２を鏡枠７，８に設けた凸部７ｂ，８ｂが通過する事により行われる。即ち、フォトインターラプター１１，１２と鏡枠７，８の凸部７ｂ，８ｂとでバリエータレンズ２とフォーカスレンズ４の夫々の初期位置を検出する初期位置検出機構を構成している。
【００１６】
また、凸部７ｂはバリエータレンズ２の望遠側か広角側のゾーン検出を可能とする形状に設定され、凸部８ｂはフォーカスレンズ４の遠距離物体に対してフォーカスする位置側か至近距離物体に対してフォーカスする位置側かのゾーン検出を可能とする形状に設定されている。
【００１７】
一方、ファインダー光学系Ｂは、対物レンズ１３と変倍レンズ１４とフィールドレンズ１５と接眼レンズ１７とで光学要素が構成されており、フィールドレンズ１５と接眼レンズ１７との間に光路１６を有する。対物レンズ１３と変倍レンズ１４はガイド軸１８，１９によって各々の鏡枠２０，２１を介して光軸方向に沿って矢印方向に進退作動可能にガイドされている。
【００１８】
鏡枠２０，２１に設けられた凸部２０ａ，２１ａは、カム筒回転軸２２ｃを軸に回転可能に支持されたカム筒２２のカム溝２２ａ，２２ｂに従動する。カム筒２２のギヤ部２２ｄと駆動源（第２駆動手段）であるステッピングモータ２３のピニオンギヤ２３ａの噛み合いガタが最小限となるようにステッピングモータ２３の位置決めがなされている。ステッピングモータ２３は、正逆回転する事により、対物レンズ１３及び変倍レンズ１４を矢印方向に進退作動させる。即ち、鏡枠２０，２１の凸部２０ａ，２１ａとカム筒２２のカム溝２２ａ，２２ｂとで変倍作動機構を構成し、カム筒２２のカム溝２２ａ，２２ｂがカム筒２２の回転運動を対物レンズ１３と変倍レンズ１４を夫々光軸方向へ移動させる直線運動に変換する。
【００１９】
カム筒２２に設けられて変倍レンズ１４を変倍作動させる為のカム溝２２ｂは、撮影光学系Ａのステッピングモータ９を一定のパルスレートで駆動して、所定時間でファインダー光学系Ｂの変倍動作と撮影光学系Ａの変倍動作を同期作動させる所定のパルスレートをファインダー光学系Ｂのステッピングモータ２３に与えたとき、撮影光学系Ａとファインダー光学系Ｂの倍率の比が常に一定になるような形状に形成されている。
【００２０】
変倍レンズ１４の変倍作動を可能とするカム筒２２の初期位置検出は、カム筒に設けた凸部２２ｅがフォトインターラプター２４を通過する事により検出される。即ち、フォトインターラプター２４と凸部２２ｅとで対物レンズ１３及び変倍レンズ１４の初期位置を検出する初期位置検出機構を構成している。
【００２１】
また、凸部２２ｅは変倍レンズ１４の望遠側か広角側かのゾーン検出を可能とする形状に設定されている。
【００２２】
制御手段としての駆動・制御回路Ｃは、ステッピングモータ９，１０，２３を駆動するモータドライバー２５，２６，２７と、レンズ位置を制御する駆動制御部としてのマイクロプロセッサー２８と、第１のスイッチとしてのズームスイッチ（ズームＳＷ）２９及び第２のスイッチとしての切換スイッチ（切換ＳＷ）３０より成る変倍動作選択部とから構成されている。
【００２３】
変倍動作選択部を構成するズームスイッチ２９は、撮影光学系Ａ及びファインダー光学系Ｂの変倍動作若しくはファインダー光学系Ｂ単独の変倍動作を開始するためのスイッチであり、望遠側と広角側どちらに変倍を行うか指示できる構成となっている。
【００２４】
切換スイッチ３０は、撮影光学系Ａの変倍動作とファインダー光学系Ｂの変倍動作を各々独立とするか連動とするかを切り換えるためのスイッチである。即ち、切換スイッチ３０は、例えば、ワンプッシュの動作にて切換スイッチ３０が選択（ＯＮ状態に）されるとファインダー光学系Ｂのみ変倍動作が可能なモード（独立駆動モード）に設定される。切換スイッチ３０をもう一度押してＯＮ状態が解除されると（ＯＦＦ状態）、再び撮影光学系Ａとファインダー光学系Ｂの変倍動作を連動するモード（連動駆動モード）に設定される。独立駆動モードから連動駆動モードに切換えられた際は、ファインダー光学系Ｂの対物レンズ１３及び変倍レンズ１４を変倍後の位置から操作前の位置に移動させるリセット動作を行うか、ファインダー光学系Ｂの変倍設定位置に撮影光学系Ｂの変倍位置が合うように撮影光学系Ｂを変倍動作させる必要がある。
【００２５】
マイクロプロセッサー２８の内部の記憶装置（メモリ）５１には、撮影光学系Ａのバリエータレンズ２の初期位置に対する望遠端と広角端の位置がステッピングモータ９の回転量に対応したステップ数で記憶されている。
【００２６】
撮影光学系Ａのフォーカスレンズ４についてもその初期位置に対して、物体距離とバリエータレンズ２の位置とで決定される位置データをステッピングモータ１０の回転量に対応したステップ数で記憶している。
【００２７】
すなわち、撮影光学系Ａの変倍動作はビデオカメラなどで一般的に用いられているカムデータを利用した電子カム方式によりステッピングモータ９を制御することにより行われる。
【００２８】
また、ファインダー光学系Ｂのカム筒２２の初期位置に対する望遠端と広角端の位置も同様にステッピングモータ２３の回転量に対応したステップ数として記憶装置５１に記憶されている。
【００２９】
本実施形態例の光学系駆動制御装置及び光学機器に於いては、カメラ本体（不図示）の電源ＯＮにより直ちに撮影光学系Ａのバリエータレンズ２とフォーカスレンズ４とファインダー光学系Ｂのカム筒２２のゾーン判定を行い、各々所定の作動方向に駆動して撮影光学系Ａのバリエータレンズ２とフォーカスレンズ４及びファインダー光学系Ｂのカム筒２２の初期位置設定を行う。
【００３０】
初期位置設定がなされた後、撮影光学系Ａの撮影倍率とファインダー光学系Ｂのファインダー倍率の比が所定の値となる位置に、撮影光学系Ａのバリエータレンズ２とフォーカスレンズ４及びファインダー光学系Ｂのカム筒２２を位置決めする。このとき、ファインダー光学系Ｂの対物レンズ１３と変倍レンズ１４はカム筒２２により所定の位置に位置決めされる。
【００３１】
位置決めが完了後、切換スイッチ３０によるＯＮ信号が検出されなければ、マイクロプロセッサー２８はズームスイッチ２９の信号を判定して、ファインダー光学系Ｂと撮影光学系Ａの変倍動作を連動させたズーム動作を実行する。即ち、マイクロプロセッサー２８のＣＰＵは、撮影光学系Ａのステッピングモータ９，１０とファインダー光学系Ｂのステッピングモータ２３を連動駆動する。
【００３２】
位置決めが完了後、切換スイッチ３０によるＯＮ信号が検出されるとマイクロプロセッサー２８はファインダー光学系Ｂのみ変倍動作を実行する。切換スイッチ３０が解除され、独立駆動モードから連動駆動モードに切り換えられた際は、ファインダー光学系Ｂの対物レンズ１３と変倍レンズ１４を変倍後の位置から操作前の位置に移動させるリセット動作を行うか、ファインダー光学系Ｂの変倍設定位置に撮影光学系Ａの変倍位置が合うようにバリエータレンズ２とフォーカスレンズ４を移動させる。即ち、マイクロプロセッサー２８のＣＰＵは、ファインダー光学系Ｂの変倍動作時にステッピングモータ２３を駆動し、ファインダー光学系Ｂの変倍設定位置に撮影光学系Ａの変倍位置を合わせる撮影光学系Ａの変倍動作時にステッピングモータ９，１０を駆動する。
【００３３】
〔第２の実施形態例〕
図２は、本発明の第２の実施形態例を示し、撮影光学系とファインダー光学系と各々の駆動機構と駆動源と制御回路の構成を表わす概要構成図である。
【００３４】
本実施形態例はファインダー光学系Ａを後述の如く構成した他は第１の実施形態例のものと同様な構成となっている。したがって、ここでは第１の実施形態との差異についてのみ説明することとする。
【００３５】
本実施形態と第１実施形態の主な差異は、ファインダー光学系Ｂの変倍レンズ１４の駆動方式にある。第１実施形態においてはカム筒２２の回転によって対物レンズ１３及び変倍レンズ１４を光軸方向に進退させていたが、本実施形態においては、鏡枠３１に設けられたラック部３１ａとステッピングモータ３２のネジ部３２ａとによって構成される駆動伝達機構を介してステッピングモータ３２が正逆回転することによって、変倍レンズ１４を光軸方向に進退させている。ラック部３１ａとネジ部３２ａとは不図示の付勢手段によってガタなく噛み合わされている。この駆動伝達機構は、ステッピングモータ３２のネジ部３２ａの回転運動をラック部３１ａによって変倍レンズ１４を光軸方向へ移動させる直線運動に変換している。
【００３６】
変倍レンズ１４の初期位置は、フォトインターラプター２４の発光素子と受光素子の間を鏡枠３１に設けた凸部３１ｂが通過することによって行われる。また凸部３１ｂは、変倍レンズ１４の位置が望遠側か広角側かのゾーン検出を可能とする形状に設定されている。
【００３７】
本実施形態のファインダー光学系Ｂは上述したような構成であるので、撮影光学系Ａと同様な電子カム方式により変倍レンズ１４を駆動制御する。したがって、本実施形態においては、マイクロプロセッサー２８の内部に設けられた記憶装置５１には、変倍レンズ１４の初期位置に対する望遠端と広角端の位置がステッピングモータ３２の回転量に対応したステップ数として記憶されている。
【００３８】
そして、撮影光学系Ａの変倍動作とファインダー光学系Ｂの変倍動作の連動時には、ファインダー光学系Ｂの変倍動作と撮影光学系Ａの変倍動作が同期するよう、且つ撮影倍率とファインダー倍率の比が所定値で維持されるようステッピングモータ９，１０，３２は駆動制御される。
【００３９】
次に、第１実施形態及び第２実施形態に示した光学系駆動制御装置の動作について、図３，４に示すフローチャートを用いてより詳細に説明する。
【００４０】
図３は、ファインダー光学系のみを駆動する独立駆動モードから双方の光学系を連動して駆動する連動駆動モードに切り替えられた際、ファインダー光学系の移動レンズ（対物レンズ１３、変倍レンズ１４あるいは変倍レンズ１４のみ）を変倍前の位置に戻すリセット動作を行う場合のフローである。
【００４１】
まず、ステップＳ１１において電源がＯＮされると、ステップＳ１２において撮影光学系Ａの移動レンズ（バリエータレンズ２、フォーカスレンズ４）は、ステッピングモータ９，１０によりそれぞれ駆動され、フォトインターラプター１１，１２により検出される各レンズの初期位置に移動する。同時に、ファインダー光学系Ｂの移動レンズ（対物レンズ１３、変倍レンズ１４あるいは変倍レンズ１４のみ）が、ステッピングモータ２３あるいは３２により駆動され、フォトインターラプター２４により検出されるレンズの初期位置に移動する（初期位置リセット）。
【００４２】
次いで、ステップＳ１３において撮影光学系Ａの移動レンズとファインダー光学系Ｂの移動レンズは、各々の光学系の倍率の比が所定の値となる初期の待機位置、例えば広角端位置に移動し待機する（初期位置スタンバイ）。
【００４３】
この後、ステップＳ１４においてマイクロプロセッサー２８は切換スイッチ３０がプッシュ操作されたＯＮ状態であるか（ＯＮのフラグがあるか）を確認する。切換スイッチ３０がＯＮ状態であると（Ｙ）、撮影光学系Ａとファインダー光学系Ｂとが独立で且つ変倍操作でファインダー光学系Ｂのみが優先して駆動されるモード、独立駆動モードとなる。ステップＳ１５において、マイクロプロセッサー２８はズームスイッチ２９が操作されたかを確認する。ズームスイッチ２９の操作がされていると（Ｙ）、ステップＳ１６においてファインダー光学系Ｂの移動レンズのみをズームスイッチ２９の操作に応じて広角側から望遠側あるいは望遠側から広角側に移動する。
【００４４】
ステップＳ１７において、マイクロプロセッサー２８はビデオカメラのＲＥＣボタンやスチルカメラのレリーズボタン等の記録スイッチ５０が操作された（ＯＮ状態）かを確認する。記録スイッチ５０が操作されていると（Ｙ）、ステップＳ１８においてファインダー光学系Ｂの現在のズーム位置に対応する位置に、撮影光学系Ａの移動レンズを移動する。なお、ファインダー光学系Ｂの現在のズーム位置に対応する撮影光学系Ａの移動レンズの位置は、メモリ５１に記憶されているファインダー光学系Ｂのズーム位置情報の現ズーム位置に対応する撮影光学系Ａのズーム位置情報を読み出すことによって求められる。つまり、ファインダー光学系Ｂのズーム位置情報と撮影光学系Ａのズーム位置情報とは、各ズーム位置毎に対応してそれぞれメモリ５１に記憶されている。
【００４５】
ステップＳ１９において、撮影光学系Ａのフォーカスレンズ４が駆動されてフォーカス動作が行われ、合焦が確定するとステップＳ２０において記録が行われる。記録は磁気・光記録媒体やメモリに行われる。記録が終了すると、ステップＳ２１においてカメラ本体の電源のＯＦＦ操作が行われたかが確認される。電源のＯＦＦ操作が確認されると（Ｙ）ステップＳ２２において電源ＯＦＦとなる。また、電源ＯＦＦの操作が行われないと（Ｎ）ステップＳ１４に戻る。
【００４６】
ステップＳ１７において記録スイッチ５０の操作が行われていない場合は（Ｎ）、切換スイッチ３０のＯＦＦ信号の存在を確認するステップＳ３０に進む。ステップＳ３０において切換スイッチ３０のＯＦＦ信号が確認されなければ（Ｎ）、ステップＳ２１に進む。ＯＦＦ信号が確認された場合には（Ｙ）、ステップＳ３１において、ファインダー光学系の移動レンズをズームスイッチ２９の操作前の位置、すなわちステップＳ１６で移動する以前の位置に戻すリセット動作を行う。なお、切換スイッチのＯＦＦ信号とはＯＮ信号が存在しない状態のことを指す場合もある。
【００４７】
ところで、ステップＳ１４において切換スイッチ３０がＯＮ状態でない場合は（Ｎ）、撮影光学系Ａとファインダー光学系Ｂとを連動して変倍を行うよう各光学系の移動レンズが駆動されるモード、連動駆動モードとなる。この場合、ステップＳ２３において、ズームスイッチ２９が操作されたかが確認され、ズームスイッチ２９の操作がされていると（Ｙ）ステップＳ２４において撮影光学系Ａ及びファインダー光学系Ｂの移動レンズを連動して同時に移動する。このときの各移動レンズの移動も上述のメモリ５１の位置情報に基づいて行われる。
【００４８】
この後、ステップＳ２５において、マイクロプロセッサー２８はビデオカメラのＲＥＣボタンやスチルカメラのレリーズボタン等の記録スイッチ５０が操作された（ＯＮ状態）かを確認し、記録スイッチ５０が操作されていると（Ｙ）、ステップＳ１９に進む。記録スイッチ５０の操作が行われていないと（Ｎ）ステップＳ２１に進む。
【００４９】
図４は、独立駆動モードから連動駆動モードに切り替えられた際、ファインダー光学系Ｂの現在の変倍設定位置に撮影光学系Ａの変倍位置を合致させる動作を行う場合のフローである。図４のフローにおいて、図３のフローと同じ符号のステップは同じ動作を行うので説明を省略する。
【００５０】
図４のフローにおいても、図３のフローと同様に、ステップＳ３３において、ステップＳ１７の分岐において記録スイッチ５０の操作が行われない場合に（Ｎ）、切換スイッチ３０のＯＦＦ信号の存在を確認している。このフローが図３のフローと異なっている点は、ステップＳ３３において、切換スイッチ３０のＯＦＦ信号が確認された場合に（Ｙ）ステップＳ１８に進み、ファインダー光学系Ｂの現在の変倍設定位置に対応する位置に、撮影光学系Ａの変倍位置が合致するように撮影光学系Ａの移動レンズを移動させ、ステップＳ２５において再度記録スイッチ５０が操作されたかを確認している点である。
【００５１】
以上、説明したように、本実施形態に開示した光学系駆動制御装置及び光学機器によれば、撮影光学系とファインダー光学系の各々の光学要素と駆動機構（駆動伝達機構及び変倍作動機構）と駆動源とを独立させた事により、
（１）撮影光学系とファインダー光学系の設計上のレイアウトが自由に設定できる。
（２）ビデオカメラ用の撮影光学系として一般的に用いられている高倍率のリヤフォーカスズームレンズなどに於いては、撮影光学系とファインダー光学系を機構的に連動させようとする場合、カムなどの精度保証が難しくなり撮影光学系の光学性能の低下を招くという事態を防止できる。
（３）撮影光学系とファインダー光学系を独立した駆動・制御とすることができる。
などの効果が期待できる。
【００５２】
また、切換スイッチ３０により撮影光学系の変倍動作とファインダー光学系の変倍動作を連動動作とするか又は各々独立した動作とするかが選択される前に、駆動・制御回路Ｃのマイクロプロセッサー２８が撮影光学系Ａのステッピングモータ９，１０とファインダー光学系Ｂのステッピングモータ２３（又は３２）を各々独立して駆動する。これにより、撮影光学系Ａのフォトインターラプター１１，１２と凸部７ｂ，８ｂからの初期位置検出信号に基づいてバリエータレンズ２とフォーカスレンズ４を所定の位置に初期位置設定すると共に、ファインダー光学系Ｂのフォトインターラプター２４と凸部２２ｅ（又はフォトインターラプター２４と凸部３１ｂ）からの初期位置検出信号に基づいて対物レンズ１３と変倍レンズ１４（又は変倍レンズ１４だけ）を所定の位置に初期位置設定する。そして、撮影光学系Ａのステッピングモータ９，１０とファインダー光学系Ｂのステッピングモータ２３（又は３２）の駆動を制御して撮影光学系Ａのバリエータレンズ２とフォーカスレンズ４及びファインダー光学系Ｂの対物レンズ１３と変倍レンズ１４（又は変倍レンズ１４だけ）を撮影光学系Ａの変倍倍率とファインダー光学系Ｂの変倍倍率が等しくなる位置に位置決めする。
【００５３】
ここで、切換スイッチがＯＮされない状態で、ズームスイッチ２９が選択されると、マイクロプロセッサー２８が撮影光学系Ａのステッピングモータ９，１０とファインダー光学系Ｂのステッピングモータ２３（又は３２）を連動駆動し、撮影光学系Ａの変倍動作とファインダー光学系Ｂの変倍動作が連動する。
【００５４】
このように、撮影光学系Ａのバリエータレンズ２とフォーカスレンズ４及びファインダー光学系Ｂの対物レンズ１３と変倍レンズ１４（又は変倍レンズ１４だけ）を撮影光学系Ａの変倍倍率とファインダー光学系Ｂの変倍倍率の比が所定の値となる位置に位置決めした後に、撮影光学系Ａの変倍動作とファインダー光学系Ｂの変倍動作が行われるので、撮影光学系Ａのバリエータレンズ２とフォーカスレンズ４及びファインダー光学系Ｂの対物レンズ１３と変倍レンズ１４（又は変倍レンズ１４だけ）を目的とする位置に正確に位置制御することができる。
【００５５】
また、撮影光学系Ａのステッピングモータ９，１０とファインダー光学系Ｂのステッピングモータ２３（又は３２）は各々マイクロプロセッサー２８により電気的に駆動制御されるので、撮影光学系Ａとファインダー光学系Ｂを機構的に連動させようとした場合に生ずる撮影光学系Ａの光学性能の低下を回避できる。
【００５６】
一方、切換スイッチ３０において、ファインダー光学系Ｂのみの変倍動作が選択されると、マイクロプロセッサー２８がステッピングモータ２３（又は３２）を駆動してファインダー光学系Ｂの変倍動作を実行し、その後切換スイッチ３０が解除されると、ファインダー光学系Ｂの変倍位置に撮影光学系Ａの変倍位置が合うようにマイクロプロセッサー２８が撮影光学系Ａのステッピングモータ９，１０を駆動して撮影光学系Ａの変倍動作を実行する。あるいはその逆に撮影光学系Ａの変倍位置にファインダー光学系Ｂの変倍位置が合うようファインダー光学系のリセット動作を行う。
【００５７】
なお、本実施形態では、リアフォーカスタイプの光学系駆動制御装置及びそれを用いた光学機器を例示したが、本発明はかゝるタイプに限定されるものではなく、要するに、ファインダー付きレンズシステムを構築する光学系駆動制御装置及び光学装置であればどの様なタイプのものにも適用できるものである。
【００５８】
【発明の効果】
以上、説明したように、本発明の光学系駆動制御装置及びそれを用いた光学機器によれば、撮影光学系とファインダー光学系を高精度に連動して駆動することができる。
【図面の簡単な説明】
【図１】第１の実施形態の光学系駆動制御装置の概略構成図である。
【図２】第２の実施形態の光学系駆動制御装置の概略構成図である。
【図３】第１の実施形態及び第２の実施形態の装置の動作を説明するためのフローチャートの一例である。
【図４】第１の実施形態及び第２の実施形態の装置の動作を説明するためのフローチャートの他の例である。
【符号の説明】
Ａ    撮影光学系
Ｂ    ファインダー光学系
Ｃ    駆動・制御回路（制御手段）
２    バリエータレンズ（撮影光学要素）
４    フォーカスレンズ（撮影光学要素）
９，１０    ステッピングモータ（第１の駆動手段）
１３    対物レンズ（ファインダー光学要素）
１４    変倍レンズ（ファインダー光学要素）
２３，３２    ステッピングモータ（第２の駆動手段）
３０    切換スイッチ（変倍動作切換手段）
５０    記録スイッチ（指示手段）
【図２】
0003969841.tif 000002
【図３】
0003969841.tif 000003
【図４】
0003969841.tif 000004
【図１】
0003969841.tif 000005